(57)【特許請求の範囲】
【請求項１】
パネルの裏面側に対向して設けられた回路基板と、
前記回路基板に実装され、前記パネルの開口穴から突出する操作部品と、
前記回路基板の前記操作部品の周りに実装された光源と、
前記パネルの表面と隙間を有して前記操作部品に取り付けられた意匠部品と、
前記パネルと前記回路基板の間に配設された反射部材と、を備え、
前記反射部材は、
断面Ｕ字状で前記パネルの側が開口したリング状部を形成する底部と、
前記底部に形成されるＲ面又はＣ面と、
前記回路基板から前記パネルの開口穴に向かって傾斜して前記リング状部の外壁の上端に繋がる傾斜面と、を備え、
前記傾斜面は、前記光源の直上に配置され、前記傾斜面及びＲ面又はＣ面が前記光源の照射光を受けて面発光及び乱反射を繰り返し、前記リング状部でリング状に均一に散乱し導光された散乱光を発生させ、該発生させた散乱光又は前記光源の照射光を前記隙間から照射するリング照明装置。
【請求項２】
前記照射光又は前記散乱光を前記開口穴の全周で前記隙間から照射する反射部材であること
を特徴とする請求項１に記載のリング照明装置。
【請求項３】
前記操作部品がロータリーエンコーダもしくは回転ボリュームであること
を特徴とする請求項１又は請求項２に記載のリング照明装置。
【請求項４】
前記反射部材が白色系の樹脂であること
を特徴とする請求項１から請求項３のいずれかに記載のリング照明装置。
【請求項５】
前記光源が前記反射部材の中にあること
を特徴とする請求項１から請求項４のいずれかに記載のリング照明装置。
【請求項６】
前記光源が一つであること
を特徴とする請求項１から請求項５のいずれかに記載のリング照明装置。
【請求項７】
前記操作部品が押し釦スイッチであること
を特徴とする請求項１又は請求項２、及び請求項４から請求項６のいずれかに記載のリング照明装置。
【請求項８】
請求項１から請求項７のいずれかを備えたリング照明装置を設けた車載機器。
【発明の詳細な説明】
【技術分野】
【０００１】
この発明は光源の照射光を照射する反射部材を備えたリング照明装置及び車載機器に関する。
【背景技術】
【０００２】
従来の計器照明装置は、複数の光源と複数の反射体を備え、光源の照射光を反射して面発光する白色系の表示板を設けている（例えば特許文献１参照）。
【先行技術文献】
【特許文献】
【０００３】
【特許文献１】特開２００４−２２６２８５号公報
【発明の概要】
【発明が解決しようとする課題】
【０００４】
上記した従来の計器照明装置は、光源の照射光を反射して面発光する白色系の表示板を設けて照明している。従って、表示板自体が光を受けて発光するため、光ムラが出やすいという問題点があった。
【０００５】
この発明は、上記した問題点を解決するためになされたものであり、意匠部品周りの照明に関して、光源の照射光を、パネルの表面と意匠部品との隙間から直接に照明して、光ムラを低減するリング照明装置及び車載機器を得ることを目的とするものである。
【課題を解決するための手段】
【０００６】
この発明に係るリング照明装置は、パネルの裏面側に対向して設けられた回路基板に実装され、パネルの開口穴から突出する操作部品の周りに実装された光源と、パネルの表面と隙間を有して操作部品に取り付けられた意匠部品と、パネルと回路基板の間に、光源の照射光をパネルと意匠部品の隙間から照射する反射部材が配設されたものである。
反射部材は、断面Ｕ字状でパネルの側が開口したリング状部を形成する底部と、底部に形成されるＲ面又はＣ面と、回路基板からパネルの開口穴に向かって傾斜してリング状部の外壁の上端に繋がる傾斜面とを備える。傾斜面は、光源の直上に配置され、傾斜面及びＲ面又はＣ面が光源の照射光を受けて面発光及び乱反射を繰り返し、リング状部でリング状に均一に散乱し導光された散乱光を発生させ、該発生させた散乱光又は光源の照射光を隙間から照射する。
【発明の効果】
【０００７】
上記のように構成されたリング照明装置は、パネルと回路基板の間に反射部材を配設したことにより、光源の照射光をパネルの表面と意匠部品との隙間から照射し、光ムラを低減できるという効果を有する。
【図面の簡単な説明】
【０００８】
【図１】この発明の実施の形態１に係るリング照明装置を説明するための分解斜視図である。
【図２】この発明の実施の形態１に係るリング照明装置を説明するための断面図である。
【図３】この発明の実施の形態１に係るリング照明装置を説明するため斜視図である。
【図４】この発明の実施の形態１に係るリング照明装置を説明するための回路基板とパネルの組立斜視図である。
【図５】この発明の実施の形態１に係るリング照明装置を説明するための回路基板と反射部材の組立斜視図である。
【図６】この発明の実施の形態２に係るリング照明装置を説明するための断面図である。
【発明を実施するための形態】
【０００９】
実施の形態１．
この発明の実施の形態１におけるリング照明装置は、車載用オーディオ装置や車載用ナビゲーション装置などの車載機器に用いられる。以降も同様である。
【００１０】
この発明の実施の形態１におけるリング照明装置について図１〜図５を用いて説明する。図１は、この発明の実施の形態１に係るリング照明装置を説明するための分解斜視図である。図２は、この発明の実施の形態１に係るリング照明装置を説明するための断面図である。図３は、この発明の実施の形態１に係るリング照明装置を説明するための斜視図である。図４は、この発明の実施の形態１に係るリング照明装置を説明するための回路基板とパネルの組立斜視図である。図５は、この発明の実施の形態１に係るリング照明装置を説明するための回路基板と反射部材の組立斜視図である。リング照明装置１００は、回路基板１と操作部品２と光源３と反射部材４とパネル５と意匠部品６で構成される。
【００１１】
図１及び図２に示すように、回路基板１は、操作部品２が軸２ａを突設して実装され、同じ面に光源３が操作部品２の周りに発光面を表にして実装されている。
【００１２】
回路基板１には、操作部品２の信号入力や光源３の駆動及び制御等を行う配線パターン（図示せず）があり、操作部品２や光源３、及び、抵抗やコンデンサ等の各種回路部品（図示せず）が配線パターンにはんだ付け等により電気接続されている。
【００１３】
回路基板１は、操作部品２と光源３が実装された面を、パネル５の裏面側に対向して設けられる。
【００１４】
操作部品２は、反射部材４に設けられた円筒状の開口部４ａを貫通し、パネル５に開口された開口穴５ａからパネル１の表面に突出される。
【００１５】
操作部品２は、ロータリーエンコーダや回転ボリューム等で構成されている。
【００１６】
光源３は、チップ型の発光ダイオード等が用いられ、１つが回路基板１に配置される。
【００１７】
反射部材４は、回路基板１とパネル５との間に、光源３を内部に収めるように配設される。
【００１８】
反射部材４は、白色系の樹脂の成形品などの光を反射、及び、光を受けて面発光する材質で形成される。
【００１９】
反射部材４は、開口部４ａを形成する立壁４ｂがパネル５の開口穴５ａを貫通する。開口部４ａの外周には、立壁４ｂの根元である回路基板１の側に断面Ｕ字状でパネル５の側が開口したリング状部４ｃを形成する底部４ｄが、立壁４ｂの根元と繋がって形成されている。リング状部４ｃの断面Ｕ字状の開口はパネル５の開口穴５ａと同一又は若干大きく形成され、パネル５の裏面に光が漏れないように密着されている。
【００２０】
このリング状部４ｃの断面Ｕ字状の底部４ｄには、光を反射するＲ面又はＣ面４ｅが形成されている。
【００２１】
また、反射部材４は、回路基板１からパネル５の開口穴５ａに向って傾斜してリング状部４ｃの外壁４ｇの上端に繋がる傾斜面４ｆを有し、リング状部４ｃの外壁４ｇが傾斜面４ｆの側面に繋がって囲われた、内部がリング状部４ｃと連通するくちばし状の突出し部４ｈが形成されている。この傾斜面４ｆは光源３の直上に位置して光源３に覆い被さっている。
【００２２】
パネル５は、開口穴５ａを有し、黒色などの光を透過しない樹脂の成型品などで形成される。
【００２３】
意匠部品６は、ノブ等で構成され、黒色などの光を透過しない樹脂の成型品などで形成される。
【００２４】
意匠部品６は、円筒状で、パネル５の表面に突出した操作部品２の軸２ａの先端２ｂに取り付けられる。意匠部品６の根元はパネル５の表面とリング状の隙間６ａを有している。
【００２５】
図３は、意匠部品６が、パネル５の表面に突き出した操作部品２に取り付けられ、パネル５と意匠部品６の根元が隙間６ａを有している状態を示している。
【００２６】
図４は、回路基板１とパネル５が、間に反射部材４を配設して組み立てられ、回路基板１に実装された操作部品２がパネル５の表面に突出している状態を示している。
【００２７】
次に、このように構成されたリング照明装置における作用について図２及び図５を用いて説明する。光源３の発光面から反射部材４の傾斜面４ｆに向って照射された照射光３ａは、傾斜面４ｆに入射して、傾斜面４ｆで反射されて第１の反射光３ｂとなる。第１の反射光３ｂは、反射部材４のリング状部４ｃの底部４ｄに形成されたＲ面又はＣ面４ｅに入射して、Ｒ面又はＣ面４ｅで反射されて第２の反射光３ｃとなる。第２の反射光３ｃはパネル５と意匠部品６との隙間６ａから直接に照射される。
【００２８】
傾斜面４ｆ及びＲ面又はＣ面４ｅが、照射光３ａ及び第一の反射光３ｂを受けて面発光し、反射部材４の内部で乱反射と面発光を繰り返す。また、光源３の図示しない複数の照射光も同様に乱反射と面発光を繰り返す。そして、リング状部４ｃでリング状に均一に散乱し導光された散乱光３ｄとなって、パネル５と意匠部品６との隙間６ａから直接にリング状に照射される。
【００２９】
以上述べたように、この実施の形態1にて示したリング照明装置にあっては、光源３の照射光３ａを、反射部材４で乱反射と面発光を繰り返すことにより、均一な散乱光３ｄを発生させ、パネル５と意匠部品６の隙間６ａから直接に照射する。その結果、光ムラの発生を低減することができる効果を奏する。
【００３０】
また、実施の形態1におけるリング照明装置にあっては、反射部材４が、光源３に覆い被さってリング状部４ｃに繋がる傾斜面４ｆを形成することにより、１つの光源３と１つの反射部材４によって均一な散乱光３ｄを発生させることができるという効果を奏する。
【００３１】
さらに、実施の形態１におけるリング照明装置にあっては、光源３を反射部材４の内部に収めることにより、外側に光源を配置した場合と比べて、回路基板１とパネル５との間の距離を削減できる。その結果、装置を小型化できるという効果も奏する。
【００３２】
さらに、実施の形態１におけるリング照明装置にあっては、パネル５と意匠部品６の隙間６ａ以外に、光が反射部材４から外部へ漏洩しない。その結果、光源３の発光を効率的に利用できるという効果も奏する。
【００３３】
実施の形態２．
この発明の実施の形態２のリング照明装置について図６を用いて説明する。図６は、この発明の実施の形態２に係るリング照明装置を説明するための断面図である。なお、図６中、図１〜図５と同一符号は同一又は相当部分を示すので、ここでは説明を省略する。この実施の形態２のリング照明装置２００は、実施の形態１の操作部品２がロータリーエンコーダもしくは回転ボリュームで構成されているものに対して、押し釦スイッチ２２で構成されたものである。
【００３４】
すなわち、回路基板１に、光源３と同一面に押し釦スイッチ２２が実装されている。押し釦スイッチ２２は、回路基板１の配線パターンにはんだ付け等により電気接続されている。
【００３５】
意匠部品２６は、円筒状で、押し釦スイッチを押下する押し釦スイッチ押下部２６ａを有し、押し釦スイッチ２２に押し釦スイッチ押下部２６ａが当接するように取り付けられる。
【００３６】
意匠部品２６は押し釦等で構成され、黒色などの光を透過しない樹脂の成形品などで形成される。
【００３７】
意匠部品２６は、根元がパネル５の表面とリング状の隙間２６ｂを有し、押下時は根元が開口穴５ａの中に隙間２６ｃを有して沈み込む。
【００３８】
このように構成された実施の形態２に示されたリング照明装置にあっても、光源３の照射光３ａを、反射部材４で乱反射と面発光を繰り返した均一な散乱光３ｄを、パネル５と押し釦２６の隙間２６ｂ又は隙間２６ｃから直接に照射することができ、その結果、光ムラの発生を低減することができる効果を奏する。
【００３９】
なお、上記した実施の形態２では、意匠部品２６は円筒状とするものとしたが、方形などであっても良い。
【００４０】
また、操作部品２は押し釦スイッチ２２で構成するものとしたが、押し釦スイッチとロータリーエンコーダもしくは回転ボリュームが一体になったものなどであっても良い。
【００４１】
ところで、上記した実施の形態に示したリング照明装置は、操作部品の意匠部品周りの照明として説明したが、リング照明装置に限られるものではなく、操作部品とは異なる部品等を照明するものであっても良いことは言うまでもない。
【符号の説明】
【００４２】
１  回路基板、  ２  操作部品、  ２ａ  軸、  ２ｂ  先端、  ３  光源、  ３ａ  照射光、  ３ｂ  第１の反射光、  ３ｃ  第２の反射光、  ３ｄ  散乱光、  ４  反射部材、  ４ａ  開口部、  ４ｂ  立壁、  ４ｃ  リング状部、  ４ｄ  底部、  ４ｅ  Ｒ面又はＣ面、  ４ｆ  傾斜部、  ４ｇ  外壁、  ４ｈ  くちばし状の突出し部、  ５  パネル、  ５ａ  開口穴、  ６  意匠部品、  ６ａ  隙間、  ２２  押し釦スイッチ、  ２６  意匠部品、  ２６ａ  押し釦スイッチ押下部、  ２６ｂ  隙間、  ２６ｃ  隙間、  １００  リング照明装置、  ２００  リング照明装置。
【図１】
0006516651.tif 000002
【図２】
0006516651.tif 000003
【図３】
0006516651.tif 000004
【図４】
0006516651.tif 000005
【図５】
0006516651.tif 000006
【図６】
0006516651.tif 000007